(57)【要約】【課題】第１及び第２ズームレンズのいずれを対象とするズーム操作であるかを判別可能な複眼撮像装置を提供する。【解決手段】複眼撮像装置は、第１ズームレンズを有する第１光学系と、第２ズームレンズを有する第２光学系と、第１光学系によって結像される被写体像を撮像して第１画像データを出力する第１撮像素子と、第２光学系によって結像される被写体像を撮像して第２画像データを出力する第２撮像素子と、第１ズームレンズ及び第２ズームレンズの一方を駆動させるズーム操作を受付けるズーム操作具と、ズーム操作の対象であるアクティブズームレンズとして、第１ズームレンズ及び第２ズームレンズの一方を選択する選択操作を受付ける受付け部と、選択操作によって選択されたアクティブズームレンズを、ズーム操作に応じて駆動制御するズーム制御部と、を備える。【選択図】図２
2013046296.tif 000002
【特許請求の範囲】
【請求項１】
第１ズームレンズを有する第１光学系と、
第２ズームレンズを有する第２光学系と、
前記第１光学系によって結像される被写体像を撮像して第１画像データを出力する第１撮像素子と、
前記第２光学系によって結像される被写体像を撮像して第２画像データを出力する第２撮像素子と、
前記第１ズームレンズ及び前記第２ズームレンズの一方を駆動させるズーム操作を受付けるズーム操作具と、
前記ズーム操作の対象であるアクティブズームレンズとして、前記第１ズームレンズ及び前記第２ズームレンズの一方を選択する選択操作を受付ける受付け部と、
前記選択操作によって選択された前記アクティブズームレンズを、前記ズーム操作に応じて駆動制御するズーム制御部と、
を備える複眼撮像装置。
【請求項２】
前記第１画像データに対応する第１スルー画像と、前記第２画像データに対応する第２スルー画像とを並べて表示可能なモニタと、
前記アクティブズームレンズに対応するアクティブスルー画像と前記アクティブズームレンズに対応しない非アクティブスルー画像とを判別できるように、前記第１スルー画像及び前記第２スルー画像を前記モニタに表示させる表示制御部と、
を備える請求項１に記載の複眼撮像装置。
【請求項３】
前記表示制御部は、前記アクティブスルー画像を前記非アクティブスルー画像よりも大きく前記モニタに表示させる、
請求項２に記載の複眼撮像装置。
【請求項４】
前記受付け部は、前記モニタ上に設置され、タッチ操作を受付けるタッチパネルであり、
前記ズーム制御部は、前記受付け部が前記非アクティブスルー画像上でタッチ操作を受付けた場合、前記第１ズームレンズ及び前記第２ズームレンズのうち前記非アクティブスルー画像に対応するズームレンズを前記アクティブズームレンズに設定する、
請求項２又は３に記載の複眼撮像装置。
【請求項５】
前記受付け部が前記アクティブスルー画像上でタッチ操作を受付けた場合、前記アクティブスルー画像上のタッチ位置への合焦を実行するＡＦ制御部を備える、
請求項４に記載の複眼撮像装置。
【請求項６】
前記ＡＦ制御部は、前記タッチ位置への合焦が完了した後、前記アクティブスルー画像に対応する動画又は静止画の撮影が完了するまで、前記タッチ位置への合焦を継続させる、
請求項５に記載の複眼撮像装置。
【発明の詳細な説明】
【技術分野】
【０００１】
本発明は、２以上の光学系を備える複眼撮像装置に関する。
【背景技術】
【０００２】
特許文献１には、第１撮像素子と第２撮像素子とを備えるデジタルカメラにおいて、第１撮像素子に対応する第１ズームレンズをテレ端に固定するとともに、第２撮像素子に対応する第２ズームレンズのみをズーム操作可能とする手法が開示されている。
【先行技術文献】
【特許文献】
【０００３】
【特許文献１】特開２０１１−４５０３９号公報
【発明の概要】
【発明が解決しようとする課題】
【０００４】
しかしながら、特許文献１に記載の手法では、第１ズームレンズをズーム操作することができないので、第１及び第２撮像素子のそれぞれで自由に画角を変更させたいというユーザの要請に応えることができない。
そこで、第１及び第２ズームレンズそれぞれのズーム操作を可能とすることが考えられるが、デジタルカメラの小型軽量化のためには、ズーム操作を受付けるズーム操作具は１つだけ設けられることが好ましい。
しかしながら、ズーム操作具を１つとすれば、デジタルカメラは、ズーム操作が第１及び第２ズームレンズのいずれを対象とするのか判別できないという問題がある。
本発明は上記問題に鑑みてなされたものであり、第１及び第２ズームレンズのいずれを対象とするズーム操作であるかを判別可能な複眼撮像装置を提供することを目的とする。
【課題を解決するための手段】
【０００５】
本発明に係る複眼撮像装置は、第１ズームレンズを有する第１光学系と、第２ズームレンズを有する第２光学系と、第１光学系によって結像される被写体像を撮像して第１画像データを出力する第１撮像素子と、第２光学系によって結像される被写体像を撮像して第２画像データを出力する第２撮像素子と、第１ズームレンズ及び第２ズームレンズの一方を駆動させるズーム操作を受付けるズーム操作具と、ズーム操作の対象であるアクティブズームレンズとして、第１ズームレンズ及び第２ズームレンズの一方を選択する選択操作を受付ける受付け部と、選択操作によって選択されたアクティブズームレンズを、ズーム操作に応じて駆動制御するズーム制御部と、を備える。
【発明の効果】
【０００６】
本発明によれば、第１及び第２ズームレンズのいずれを対象とするズーム操作であるかを判別可能な複眼撮像装置を提供することができる。
【図面の簡単な説明】
【０００７】
【図１】デジタルカメラの電気的構成を示すブロック図
【図２】コントローラの電気的構成を示すブロック図
【図３】液晶モニタにおける表示例を示す模式図
【図４】液晶モニタにおける表示例を示す模式図
【図５】デジタルカメラにおける撮影動作を説明するためのフローチャート
【発明を実施するための形態】
【０００８】
以下、本発明をデジタルカメラに適用した場合について、図面を参照しながら説明する。
＜１−１．デジタルカメラの構成＞
まずは、デジタルカメラの構成に関して説明する。
図１は、本実施の形態におけるデジタルカメラ１の電気的構成を示すブロック図である。
本実施の形態にかかるデジタルカメラ１の電気的構成について、図１を用いて説明する。デジタルカメラ１は、光学系１１０（ａ）及び１１０（ｂ）、ズームモータ１２０（ａ）及び１２０（ｂ）、ＯＩＳアクチュエータ１３０（ａ）及び１３０（ｂ）、フォーカスモータ１４０（ａ）及び１４０（ｂ）、ＣＣＤイメージセンサ１５０（ａ）及び１５０（ｂ）、画像処理部１６０、メモリ２００、コントローラ２１０、ジャイロセンサ２２０、カードスロット２３０、メモリカード２４０、操作部材２５０、ズームレバー２６０、液晶モニタ２７０（「モニタ」の一例）、内部メモリ２８０、モード設定スイッチ２９０を備える。
【０００９】
光学系１１０（ａ）は、ズームレンズ１１１（ａ）、ＯＩＳ１１２（ａ）、フォーカスレンズ１１３（ａ）を含む。また、光学系１１０（ｂ）は、ズームレンズ１１１（ｂ）、ＯＩＳ１１２（ｂ）、フォーカスレンズ１１３（ｂ）を含む。光学系１１０（ａ）は、第１視点における被写体像を形成する。光学系１１０（ｂ）は、第１視点とは異なる第２視点における被写体像を形成する。本実施形態において、第１視点はユーザの左眼の視点に対応し、第２視点はユーザの右眼の視点に対応している。なお、光学系１１０（ａ）は「第１光学系」の一例であり、光学系１１０（ｂ）は「第２光学系」の一例である。
ズームレンズ１１１（ａ）及び１１１（ｂ）は、光学系１１０（ａ）及び１１０（ｂ）それぞれの光軸に沿って移動することにより、それぞれＣＣＤイメージセンサ１５０（ａ）および１５０（ｂ）の各々に結像する被写体像を拡大又は縮小可能である。ズームレンズ１１１（ａ）及び１１１（ｂ）は、それぞれズームモータ１２０（ａ）および１２０（ｂ）によって駆動制御される。なお、ズームレンズ１１１（ａ）は「第１ズームレンズ」の一例であり、ズームレンズ１１１（ｂ）は「第２ズームレンズ」の一例である。
【００１０】
ＯＩＳ１１２（ａ）及び１１２（ｂ）は、それぞれ内部に光軸に垂直な面内で移動可能な補正レンズを有する。ＯＩＳ１１２（ａ）及び１１２（ｂ）は、それぞれデジタルカメラ１のブレを相殺する方向に補正レンズを駆動することにより、被写体像のブレを低減する。ＯＩＳ１１２（ａ）及び１１２（ｂ）は、それぞれＯＩＳアクチュエータ１３０（ａ）および１３０（ｂ）によって駆動制御される。
フォーカスレンズ１１３（ａ）及び１１３（ｂ）は、光学系１１０（ａ）及び１１０（ｂ）それぞれの光軸に沿って移動することにより、それぞれＣＣＤイメージセンサ１５０（ａ）および１５０（ｂ）に結像する被写体像のピントを調整可能である。フォーカスレンズ１１３（ａ）及び１１３（ｂ）は、それぞれフォーカスモータ１４０（ａ）および１４０（ｂ）によって制御される。なお、フォーカスレンズ１１３（ａ）は、「第１フォーカスレンズ」の一例であり、フォーカスレンズ１１３（ｂ）は、「第２フォーカスレンズ」の一例である。
【００１１】
以下の説明では、光学系１１０（ａ）及び１１０（ｂ）を光学系１１０と総称する場合がある。ズームレンズ１１１、ＯＩＳ１１２、フォーカスレンズ１１３、ズームモータ１２０、ＯＩＳアクチュエータ１３０、フォーカスモータ１４０、ＣＣＤイメージセンサ１５０についても同様である。
ズームモータ１２０（ａ）および１２０（ｂ）は、それぞれズームレンズ１１１（ａ）及び１１１（ｂ）を駆動させる。ズームモータ１２０（ａ）および１２０（ｂ）は、パルスモータやＤＣモータ、リニアモータ、サーボモータなどで実現してもよい。ズームモータ１２０（ａ）および１２０（ｂ）は、カム機構やボールネジなどの機構を介してズームレンズ１１１（ａ）及び１１１（ｂ）それぞれを駆動するようにしてもよい。また、ズームレンズ１１１（ａ）とズームレンズ１１１（ｂ）を同じ動作で制御する構成にしても良い。
【００１２】
ＯＩＳアクチュエータ１３０（ａ）および１３０（ｂ）は、それぞれＯＩＳ１１２（ａ）及び１１２（ｂ）内の補正レンズを光軸と垂直な面内で駆動制御する。ＯＩＳアクチュエータ１３０（ａ）および１３０（ｂ）は、平面コイルや超音波モータなどで実現できる。
フォーカスモータ１４０（ａ）および１４０（ｂ）は、それぞれフォーカスレンズ１１３（ａ）及び１１３（ｂ）を駆動させる。フォーカスモータ１４０（ａ）および１４０（ｂ）は、パルスモータやＤＣモータ、リニアモータ、サーボモータなどで実現してもよい。フォーカスモータ１４０（ａ）および１４０（ｂ）は、カム機構やボールネジなどの機構を介してフォーカスレンズ１１３（ａ）及び１１３（ｂ）それぞれを駆動するようにしてもよい。
【００１３】
ＣＣＤイメージセンサ１５０（ａ）及び１５０（ｂ）は、それぞれ光学系１１０（ａ）及び１１０（ｂ）それぞれによって結像された被写体像を撮影して、第１画像データ及び第２画像データを生成する。ＣＣＤイメージセンサ１５０（ａ）と１５０（ｂ）とは、左右方向において所定の間隔（例えば、３ｃｍ程度）だけ離間している。本実施形態において、第１画像データは左眼用画像を示す信号であり、第２画像データは右眼用画像を示す信号である。
ＣＣＤイメージセンサ１５０（ａ）及び１５０（ｂ）は、露光、転送、電子シャッタなどの各種動作を行う。ＣＣＤイメージセンサ１５０（ａ）は、「第１撮像素子」の一例であり、ＣＣＤイメージセンサ１５０（ｂ）は、「第２撮像素子」の一例である。
画像処理部１６０は、ＣＣＤイメージセンサ１５０（ａ）及び１５０（ｂ）で生成された第１画像データ及び第２画像データに対して各種の処理（例えば、ガンマ補正、ホワイトバランス補正、傷補正など）を施す。これによって、画像処理部１６０は、液晶モニタ２７０に表示するための画像データを生成したり、メモリカード２４０に格納するための画像データを生成したりする。例えば、画像処理部１６０は、後述する静止画レリーズ釦が静止画の撮影指示を受付けたことに応じて、第１及び第２画像データから静止画用画像データの生成を開始する。また、画像処理部１６０は、コントローラ２１０からの制御信号に基づいて、第１画像データ及び第２画像データに対して、例えば、エッジ強調処理等のエンハンス処理を行う。
【００１４】
また、画像処理部１６０は、上記処理された第１画像データ及び第２画像データに対して、それぞれＪＰＥＧ規格に準拠した圧縮形式等により圧縮処理を施す。第１画像データ及び第２画像データを圧縮して得られる２つの圧縮画像データは互いに関連付けられて、メモリカード２４０に記録される。なお、２つの圧縮画像データが記録される際、ＭＰＯファイルフォーマットを用いて記録されるのが望ましい。また、圧縮する画像データが動画の場合、Ｈ．２６４／ＭＰＥＧ４  ＡＶＣ等の動画圧縮規格が適用されることになる。また、ＭＰＯファイルフォーマットと、ＪＰＥＧ画像若しくはＭＰＥＧ動画と、を同時に記録する構成にしても構わない。
このような画像処理部１６０は、ＤＳＰやマイコンなどで実現可能である。なお、レビュー画像の解像度（画素数）は、液晶モニタ２７０の画面解像度に設定しても構わないし、ＪＰＥＧ規格に準拠した圧縮形式等により圧縮され形成される画像データの解像度に設定しても構わない。
【００１５】
メモリ２００は、画像処理部１６０及びコントローラ２１０のワークメモリとして機能する。メモリ２００は、例えば、画像処理部１６０で処理された画像データ若しくは、画像処理部１６０で処理される前のＣＣＤイメージセンサ１５０から入力される画像データを一時的に蓄積する。また、メモリ２００は、撮影時における光学系１１０やＣＣＤイメージセンサ１５０の撮影条件を一時的に蓄積する。撮影条件とは、被写体距離、画角情報、ＩＳＯ感度、シャッタースピード、ＥＶ値、Ｆ値、レンズ間距離、撮影時刻、ＯＩＳシフト量等を示す。メモリ２００は、例えば、ＤＲＡＭ、強誘電体メモリなどで実現できる。
コントローラ２１０は、全体を制御する制御手段である。特に、コントローラ２１０は、ズームモータ１２０及びフォーカスモータ１４０の駆動制御や、液晶モニタ２７０の表示制御などを実行する。コントローラ２１０は、ハードウェアのみで構成してもよいし、ハードウェアとソフトウェアとを組み合わせることにより実現してもよい。コントローラ２１０は、マイコンなどで実現できる。コントローラ２１０の構成及び機能については後述する。
【００１６】
ジャイロセンサ２２０は、圧電素子等の振動材等で構成される。ジャイロセンサ２２０は、圧電素子等の振動材を一定周波数で振動させた場合に働くコリオリ力を電圧に変換することによって角速度情報を得る。ジャイロセンサ２２０から得られる角速度情報によって示される揺れを相殺する方向にＯＩＳ１１２内の補正レンズを駆動させることにより、使用者によりデジタルカメラ１に与えられる手振れは補正される。なお、ジャイロセンサ２２０は、少なくともピッチ角の角速度情報を計測可能なデバイスであればよい。また、ジャイロセンサ２２０がヨー角の角速度情報を計測可能な場合、デジタルカメラ１の略水平方向に移動した際の回転について考慮することが可能となる。
カードスロット２３０は、メモリカード２４０を着脱可能である。カードスロット２３０は、機械的及び電気的にメモリカード２４０と接続可能である。
【００１７】
メモリカード２４０は、フラッシュメモリや強誘電体メモリなどを内部に含み、データを格納可能である。
操作部材２５０は、使用者からの操作を受付けるユーザーインターフェースの総称である。例えば、使用者からの操作を受付ける十字釦、決定釦や動画レリーズ釦、静止画レリーズ釦を備える。動画レリーズ釦は、第１画像データ及び/又は第２画像データに対応する動画の撮影指示を受付ける。静止画レリーズ釦は、ＣＣＤイメージセンサ１５０における被写体のＡＦ制御（以下、ＡＦ制御という。）指示と、第１画像データ及び/又は第２画像データに対応する静止画の撮影指示とをユーザから受付ける。具体的には、静止画レリーズ釦が半押しされた場合、コントローラ２１０を介したＡＦ制御及びＡＥ制御が実行される。また、レリーズ釦が全押しされた場合、被写体の撮影が実行される。
【００１８】
ズームレバー２６０は、ズームレンズ１１１（ａ）及びズームレンズ１１１（ｂ）の一方を駆動させる操作（以下、「ズーム操作」という。）を使用者から受付ける。使用者は、ズームレバー２６０を用いてズームレンズ１１１（ａ）又はズームレンズ１１１（ｂ）を駆動させることによって、ＣＣＤイメージセンサ１５０（ａ）及び１５０（ｂ）それぞれにおいて所望の画角で被写体像を結像させることができる。なお、ズームレバー２６０は、「ズーム操作具」の一例である。
液晶モニタ２７０は、ＣＣＤイメージセンサ１５０で生成される第１画像データに対応する第１スルー画像ＴＨ１と、第２画像データに対応する第２スルー画像ＴＨ２とを並べて表示する（図３及び図４参照）。また、液晶モニタ２７０は、第１スルー画像ＴＨ１及び第２スルー画像ＴＨ２を互いに異なる大きさで表示可能である。具体的に、液晶モニタ２７０は、第１スルー画像ＴＨ１及び第２スルー画像ＴＨ２のうちズームレバー２６０のズーム操作に対応するスルー画像（以下、「アクティブスルー画像ＴＨ-Ａ」という。）を、ズームレバー２６０のズーム操作に対応しないスルー画像（以下、「非アクティブスルー画像ＴＨ-Ｂ」という。）よりも大きく表示する。これによって、ズームレバー２６０におけるズーム操作によってズームレンズ１１１（ａ）及びズームレンズ１１１（ｂ）のいずれが駆動されるかを使用者に認識させることができる。
【００１９】
なお、スルー画像とは、画像を順次表示することによって液晶モニタ２７０に映し出される動画である。このようなスルー画像は、使用者が被写体の画角を決めるために用いられるものであり、通常、スルー画像自体はメモリカード２４０に格納されない。
タッチパネル２７５は、液晶モニタ２７０上に設置され、タッチ操作を使用者から受付ける。具体的に、タッチパネル２７５は、非アクティブスルー画像ＴＨ-Ｂ上におけるタッチ操作に応じて、ズームレバー２６０におけるズーム操作の対象であるズームレンズ（以下、「アクティブズームレンズ」という。）としてズームレンズ１１１（ａ）及びズームレンズ１１１（ｂ）の一方を選択する操作（以下、「選択操作」という。）を受付ける。また、タッチパネル２７５は、アクティブスルー画像ＴＨ-Ａ上におけるタッチ操作に応じて、フォーカスレンズ１１３（ａ）及び１１３（ｂ）のうちアクティブスルー画像ＴＨ-Ａに対応するフォーカスレンズを特定する操作（以下、「特定操作」という。）を受付ける。なお、タッチパネル２７５は、タッチ操作を受付けた場合、液晶モニタ２７０上におけるタッチ位置を示す位置データをコントローラ２１０に送信する。なお、タッチパネル２７５は、「受付け部」の一例である。
【００２０】
内部メモリ２８０は、フラッシュメモリや強誘電体メモリなどで構成される。内部メモリ２８０は、デジタルカメラ１全体を制御するための制御プログラム等を記憶している。
モード設定スイッチ２９０は、デジタルカメラ１で２Ｄ撮影する際のワイド/テレ同時撮影モードと、デジタルカメラ１で３Ｄ撮影する際の３Ｄ撮影モードと、撮影した画像を再生する再生モードとを切り替えるためのスイッチである。ワイド/テレ同時撮影モードでは、互いに画角の異なる第１スルー画像ＴＨ１及び第２スルー画像ＴＨ２それぞれに対応する静止画を同時に撮影することができる。３Ｄ撮影モードでは、第１スルー画像ＴＨ１と第２スルー画像ＴＨ２を同時に動画撮影又は静止画撮影できる。デジタルカメラ１では、ワイド/テレ同時撮影モード及び３Ｄ撮影モードに切り換えられるたびに各モードに応じた適切な撮影パラメータが設定される。なお、本実施形態では、ワイド/テレ同時撮影モードについて主に説明する。
＜１−２．コントローラ２１０の構成＞
図２は、コントローラ２１０の電気的構成を示すブロック図である。コントローラ２１０は、タッチ位置判定部２１１と、ズーム制御部２１２と、表示制御部２１３と、ＡＦ制御部２１４と、画像記録部２１５と、を備える。
【００２１】
タッチ位置判定部２１１は、タッチパネル２７５から受信する位置データに基づいて、タッチ位置がアクティブスルー画像ＴＨ-Ａ上であるか非アクティブスルー画像ＴＨ-Ｂ上であるかを判定する。タッチ位置が非アクティブスルー画像ＴＨ-Ｂ上である場合、タッチ位置判定部２１１は、その旨をズーム制御部２１２及び表示制御部２１３に通知する。タッチ位置がアクティブスルー画像ＴＨ-Ａ上である場合、タッチ位置判定部２１１は、その旨をＡＦ制御部２１４に通知する。
ズーム制御部２１２は、ズームレンズ１１１（ａ）及びズームレンズ１１１（ｂ）のうち一方をアクティブズームレンズに設定する。また、ズーム制御部２１２は、ズーム操作の対象に設定されたアクティブズームレンズをズーム操作に応じて駆動制御する。
具体的に、ズーム制御部２１２は、モード設定スイッチ２９０がワイド/テレ同時撮影モードに切り換えられると、ズームレンズ１１１（ａ）及びズームレンズ１１１（ｂ）のいずれか一方をアクティブズームレンズに設定する。このような初期化処理は、ズームレンズ１１１（ａ）及びズームレンズ１１１（ｂ）のいずれか一方に固定されていてもよいし、前回のワイド/テレ同時撮影モード終了時における状態に復帰されてもよい。
【００２２】
また、ズーム制御部２１２は、タッチ位置が非アクティブスルー画像ＴＨ-Ｂ上である旨の通知をタッチ位置判定部２１１から受けた場合、ズームレンズ１１１（ａ）及びズームレンズ１１１（ｂ）のうち非アクティブスルー画像ＴＨ-Ｂに対応するズームレンズをアクティブズームレンズとして設定する。このようなアクティブズームレンズの設定変更は、タッチパネル２７５が非アクティブスルー画像ＴＨ-Ｂ上でタッチ操作を受付けるたびに繰り返される。
また、ズーム制御部２１２は、ズームレバー２６０がズーム操作を受付けた場合、ズームモータ１２０（ａ）および１２０（ｂ）の一方を駆動させることによって、アクティブズームレンズをズーム操作に応じて駆動制御する。
表示制御部２１３は、ズーム制御部２１２がアクティブズームレンズを設定した場合、第１スルー画像ＴＨ１及び第２スルー画像ＴＨ２のうちアクティブズームレンズに対応するスルー画像をアクティブスルー画像ＴＨ-Ａに設定する。また、表示制御部２１３は、第１スルー画像ＴＨ１及び第２スルー画像ＴＨ２のうちアクティブスルー画像ＴＨ-Ａと異なるスルー画像を非アクティブスルー画像ＴＨ-Ｂに設定する。
【００２３】
また、表示制御部２１３は、メモリ２７０から取得する第１画像データ及び第２画像データに基づいて、液晶モニタ２７０に第１スルー画像ＴＨ１及び第２スルー画像ＴＨ２を表示させる。この際、表示制御部２１３は、アクティブスルー画像ＴＨ-Ａを非アクティブスルー画像ＴＨ-Ｂよりも大きく表示させる。図３は、第１スルー画像ＴＨ１がアクティブスルー画像ＴＨ-Ａに設定されている場面を示している。図４は、図３の場面で第１スルー画像ＴＨ１がタッチされたことに応じて、第２スルー画像ＴＨ２がアクティブスルー画像ＴＨ-Ａに設定された場面を示している。
ＡＦ制御部２１４は、タッチ位置がアクティブスルー画像ＴＨ-Ａ上である旨の通知をタッチ位置判定部２１１から受けた場合、アクティブスルー画像ＴＨ-Ａ上のタッチ位置に合焦させる。具体的に、ＡＦ制御部２１４は、フォーカスレンズ１１３（ａ）及び１１３（ｂ）のうちアクティブスルー画像ＴＨ-Ａに対応するフォーカスレンズを駆動制御することによって、ＣＣＤイメージセンサ１５０（ａ）及び１５０（ｂ）のうちアクティブスルー画像ＴＨ-Ａに対応するＣＣＤイメージセンサに結像する被写体像のピント調整を実行する。
【００２４】
また、ＡＦ制御部２１４は、操作部材２５０のうち静止画レリーズ釦が半押しされた場合、フォーカスレンズ１１３（ａ）及び１１３（ｂ）それぞれを駆動制御することによって、ＣＣＤイメージセンサ１５０（ａ）及び１５０（ｂ）それぞれに結像する被写体像のピント調整を実行する。
なお、ＡＦ制御部２１４は、以下に説明する周知の手順にしたがってＡＦ制御を実行する。まず、ＡＦ制御部２１４は、フォーカスモータ１４０を制御することによってフォーカスレンズ１１３の位置を変化させた後、画像処理部１６０によるコントラストＡＦのための画像処理結果を取得する。続いて、ＡＦ制御部２１４は、画像処理結果が適切になるまで、すなわちＡＦ制御が完了するまで、繰り返しフォーカスモータ１４０を制御する。
画像記録部２１５は、操作部材２５０において受付けられた操作に応じて、メモリ２００の画像データを読み出し、第１画像データ及び第２画像データに対応する動画や静止画をメモリカード２４０に記録する。
＜１−３．デジタルカメラの撮影動作＞
以下、ワイド/テレ同時撮影モードにおけるデジタルカメラ１の撮影動作について説明する。図５は、ワイド/テレ同時撮影モードにおけるデジタルカメラ１の撮影動作を説明するためのフローチャートである。
【００２５】
コントローラ２１０は、モード選択スイッチ２９０がワイド/テレ同時撮影モードに切り換えられたことに応じて、ワイド/テレ同時撮影モード用の初期化処理を実行する（Ｓ２０１）。具体的に、コントローラ２１０は、初期化処理の一つとして、ズームレンズ１１１（ａ）及びズームレンズ１１１（ｂ）のいずれか一方をアクティブズームレンズに設定する。
次に、コントローラ２１０は、モード選択スイッチ２９０がワイド/テレ同時撮影モードを示しているかどうかを判定する（Ｓ２０２）。モード選択スイッチ２９０がワイド/テレ同時撮影モードを示している場合、処理はステップＳ２０３に進む。モード選択スイッチ２９０がワイド/テレ同時撮影モードを示していない場合、処理は終了する。
次に、コントローラ２１０は、第１スルー画像ＴＨ１及び第２スルー画像ＴＨ２を液晶モニタ２７０に表示させる（Ｓ２０３）。この際、コントローラ２１０は、図４に示すように、アクティブズームレンズに対応するアクティブスルー画像ＴＨ-Ａを、アクティブズームレンズに対応しない非アクティブスルー画像ＴＨ-Ｂよりも大きく表示させる。
【００２６】
次に、コントローラ２１０は、タッチパネル２７５が使用者からタッチ操作を受付けたか否かを判定する（Ｓ２０４）。
ステップＳ２０４でタッチパネル２７５がタッチ操作を受付けたと判定された場合、コントローラ２１０は、タッチ操作が非アクティブスルー画像ＴＨ-Ｂ上であるか否かを判定する（Ｓ２０５）。
ステップＳ２０５でタッチ操作が非アクティブスルー画像ＴＨ-Ｂ上であると判定された場合、コントローラ２１０は、アクティブズームレンズの設定変更を実行する（Ｓ２０６）。この際、コントローラ２１０は、図５に示すように、アクティブズームレンズに対応するアクティブスルー画像ＴＨ-Ａも変更する。
ステップＳ２０５でタッチ操作が非アクティブスルー画像ＴＨ-Ｂ上でないと判定された場合、すなわち、アクティブスルー画像ＴＨ-Ａ上でタッチ操作が行われた場合、コントローラ２１０は、アクティブスルー画像ＴＨ-Ａ上のタッチ位置に合焦させる（Ｓ２０７）。
【００２７】
次に、コントローラ２１０は、ＣＣＤイメージセンサ１５０（ａ）及び１５０（ｂ）のうちアクティブスルー画像ＴＨ-Ａに対応するＣＣＤイメージセンサで静止画を撮影する（Ｓ２０８）。その後、処理はステップＳ２１３に進む。
また、ステップＳ２０４でタッチパネル２７５がタッチ操作を受付けたと判定されない場合、コントローラ２１０は、操作部材２５０のうち静止画レリーズ釦が半押しされたか否かを判定する（Ｓ２０９）。
ステップＳ２０９で静止画レリーズ釦が半押しされたと判定された場合、コントローラ２１０は、ＣＣＤイメージセンサ１５０（ａ）及び１５０（ｂ）それぞれについてＡＦ制御を実行する（Ｓ２１０）。
次に、コントローラ２１０は、操作部材２５０の静止画レリーズ釦の押下状態を判定する（Ｓ２１１）。ステップＳ２１１で半押しが解除されていると判定された場合、処理はステップＳ２１５に進む。ステップＳ２１１で半押し状態が維持されていると判定された場合、ステップＳ２１１の判定を繰り返す。ステップＳ２１１で全押しされたと判定された場合、処理はステップＳ２１２に進む。
【００２８】
ステップＳ２１１で全押しされたと判定された場合、コントローラ２１０は、ＣＣＤイメージセンサ１５０（ａ）及び１５０（ｂ）それぞれで静止画を撮影する（Ｓ２１２）。
次に、コントローラ２１０は、ステップＳ２０８又はステップＳ２１２において生成される第１及び第２画像データに対してワイド/テレ同時撮影モードに則した各種画像処理を行う（Ｓ２１３）。
次に、コントローラ２１０は、Ｓ２１３において各種画像処理が施された第１及び第２画像データをメモリカード２４０に記録する（Ｓ２１４）。
また、ステップＳ２０９で静止画レリーズ釦が半押しされていないと判定された場合、又は、ステップＳ２１１で半押しが解除されていると判定された場合、コントローラ２１０は、ズームレバー２６０がズーム操作を使用者から受付けたか否かを判定する（Ｓ２１５）。
【００２９】
ステップＳ２１５でズームレバー２６０がズーム操作受付けたと判定された場合、コントローラ２１０は、ズーム操作に応じてアクティブズームレンズを駆動制御する（Ｓ２１６）。
ステップＳ２１６の処理後、又は、ステップＳ２１５でズームレバー２６０がズーム操作受付けていないと判定された場合、処理はステップＳ２０２に戻る。
＜１−４．まとめ＞
本実施形態に係るデジタルカメラ１は、ズームレンズ１１１（ａ）及び１１１（ｂ）の一方を駆動させるズーム操作を受付けるズームレバー２６０と、ズーム操作の対象であるアクティブズームレンズとしてズームレンズ１１１（ａ）及び１１１（ｂ）の一方を選択する選択操作を受付けるタッチパネル２７５と、アクティブズームレンズをズーム操作に応じて駆動制御するズーム制御部２１２と、を備える。
【００３０】
従って、ズームレバー２６０が一つだけ設けられる場合であっても、タッチパネル２７５が受付けた選択操作に基づいて、ズーム操作がズームレンズ１１１（ａ）及び１１１（ｂ）のいずれを対象とするかを簡便に判別することができる。
また、本実施形態に係るデジタルカメラ１は、アクティブスルー画像ＴＨ-Ａを非アクティブスルー画像ＴＨ-Ｂよりも大きく液晶モニタ２７０に表示させる表示制御部２１３を備える。
このように、第１スルー画像ＴＨ１及び第２スルー画像ＴＨ２においてアクティブスルー画像ＴＨ-Ａと非アクティブスルー画像ＴＨ-Ｂとを判別できるように表示することができる。そのため、ズームレバー２６０におけるズーム操作によってズームレンズ１１１（ａ）及びズームレンズ１１１（ｂ）のいずれが駆動されるかを使用者に簡便に認識させることができる。また、アクティブスルー画像ＴＨ-Ａが大きく表示されるので、使用者は、アクティブスルー画像ＴＨ-ＡのＡＦ制御が適切に実行されたことを液晶モニタ２７０上で容易に確認することができる。
＜２．その他の実施形態＞
上記実施形態において、特に触れていないが、コントローラ２１０は、アクティブスルー画像ＴＨ-Ａ上でのタッチ操作に応じて、いわゆる“追っかけフォーカス”を実行してもよい。具体的に、コントローラ２１０は、アクティブスルー画像ＴＨ-Ａに対応するＣＣＤイメージセンサのタッチ位置への合焦が完了した後、アクティブスルー画像ＴＨ-Ａに対応する動画又は静止画の撮影が完了するまで、コントローラ２１０はＡＦ制御を継続させればよい。
【００３１】
また、上記実施形態において、アクティブスルー画像ＴＨ-Ａを非アクティブスルー画像ＴＨ-Ｂよりも大きく表示させることによって、第１スルー画像ＴＨ１及び第２スルー画像ＴＨ２においてアクティブスルー画像ＴＨ-Ａと非アクティブスルー画像ＴＨ-Ｂとを判別できるようにしたが、これに限られるものではない。例えば、アクティブスルー画像ＴＨ-Ａを枠で囲うことにより、或いはアクティブスルー画像ＴＨ-Ａ内に水平垂直方向を示すガイドラインを表示することによって、アクティブスルー画像ＴＨ-Ａと非アクティブスルー画像ＴＨ-Ｂとを判別できるようにしてもよい。また、矢印や文字表示を付すことによってアクティブスルー画像ＴＨ-Ａを特定してもよい。
また、上記実施形態において、液晶モニタ２７０には、第１スルー画像ＴＨ１と第２スルー画像ＴＨ２とが左右に並んで表示されることとしたが、これに限られるものではない。液晶モニタ２７０には、第１スルー画像ＴＨ１及び第２スルー画像ＴＨ２とが、上下に並んで表示されてもよいし、ライン毎に交互に表示されてもよい。
【００３２】
また、上記実施形態のデジタルカメラ１において、各構成ブロックは、ＬＳＩなどの半導体装置により個別に１チップ化されても良いし、一部又は全部を含むように１チップ化されていてもよい。
また、上記実施形態の各処理をハードウェアにより実現してもよいし、ソフトウェアにより実現してもよい。さらに、ソフトウェアおよびハードウェアの混在処理により実現してもよい。なお、上記実施形態に係るデジタルカメラ１をハードウェアにより実現する場合、各処理を行うためのタイミング調整を行う必要があるのは言うまでもない。上記実施形態においては、説明便宜のため、実際のハードウェア設計で生じる各種信号のタイミング調整の詳細については省略している。
また、上記実施形態における処理方法の実行順序は、必ずしも、上記実施形態の記載に制限されるものではなく、発明の要旨を逸脱しない範囲で、実行順序を入れ替えることができるものである。
【００３３】
なお、本発明の具体的な構成は、前述の実施の形態に限られるものではなく、発明の要旨を逸脱しない範囲で種々の変更および修正が可能である。
【産業上の利用可能性】
【００３４】
本発明の複眼撮像装置によれば、第１及び第２ズームレンズのいずれを対象とするズーム操作であるかを判別できるためデジタルカメラ、ビデオカメラ、携帯機器等に適用可能である。
【符号の説明】
【００３５】
１１０（ａ）、１１０（ｂ）    光学系
１２０（ａ）、１２０（ｂ）    ズームモータ
１３０（ａ）、１３０（ｂ）    ＯＩＳアクチュエータ
１４０（ａ）、１４０（ｂ）    フォーカスモータ
１５０（ａ）、１５０（ｂ）    ＣＣＤイメージセンサ
１６０    画像処理部
２００    メモリ
２１０    コントローラ
２１１    タッチ位置判定部
２１２    ズーム制御部
２１３    表示制御部
２１４    ＡＦ制御部
２２０    ジャイロセンサ
２３０    カードスロット
２４０    メモリカード
２５０    操作部材
２６０    ズームレバー
２７０    液晶モニタ
２７５    タッチパネル
２８０    内部メモリ
２９０    モード設定スイッチ
ＴＨ１    第１スルー画像
ＴＨ２    第２スルー画像
ＴＨ-Ａ    アクティブスルー画像
ＴＨ-Ｂ    非アクティブスルー画像
【図１】
2013046296.tif 000003
【図２】
2013046296.tif 000004
【図３】
2013046296.tif 000005
【図４】
2013046296.tif 000006
【図５】
2013046296.tif 000007